(57)【要約】      （修正有）【課題】捕獲性能を高くするとともに地面への設置が容易に行なえる野生動物用罠を得る。【解決手段】踏み板１１の上面に一対の半円弧状の作動体１５を互いに対向させて載置するとともに、各作動体の対面側端部を支点ピンＰ１、Ｐ２を介して前記踏み板に回動可能に連結してなる作動装置１０を設け、前記作動装置を枠体２内に上下動可能に嵌合させるとともに、各作動体の回動端部１５ａを前記枠体の内面に設けた受け桟５に載置して前記踏み板を枠体内で下動可能に懸垂支持し、ワイヤ２１の一端部に拡縮可能なループ部２２を有するとともに、ワイヤの中間部に前記ループ部の径を縮小付勢するばね装置２５を有する捕獲ワイヤ２０を設け、該捕獲ワイヤのループ部を前記各作動体の外周に懸回してリング状に保形する。【選択図】図１
0003127832.tif 000002
【実用新案登録請求の範囲】
【請求項１】
踏み板（１１）の上面に一対の半円弧状の作動体（１５）を互いに対向させて載置するとともに、各作動体（１５）の対面側端部を支点ピン（Ｐ１、Ｐ２）を介して前記踏み板（１１）に回動可能に連結してなる作動装置（１０）を設け、前記作動装置（１０）を枠体（２）内に上下動可能に嵌合させるとともに、該作動装置（１０）の各作動体（１５）の回動端部（１５ａ）を前記枠体（２）の内面に設けた受け桟（５）に載置して前記踏み板（１１）を枠体（２）内で下動可能に懸垂支持し、ワイヤ（２１）の一端部に拡縮可能なループ部（２２）を有するとともに、ワイヤ（２１）の中間部に前記ループ部（２２）の径を縮小付勢するばね装置（２５）を有する捕獲ワイヤ（２０）を設け、該捕獲ワイヤ（２０）のループ部（２２）を前記各作動体（１５）の外周に懸回してリング状に保形したことを特徴とする野生動物用罠。
【請求項２】
各作動体（１５）は、細長い板材を半円弧状に湾曲させた胴部（１５ｂ）の下縁部に半径方向外方に突出する下部係止片（１５ｃ）を設け、前記胴部（１５ｂ）の回動端部（１５ａ）の上縁部に外方かつ上方に向かって傾斜する上部係止片（１５ｄ）を設け、前記下部係止片（１５ｃ）と上部係止片（１５ｄ）とで前記胴部（１５ｂ）に懸回した捕獲ワイヤ（２０）のループ部（２２）の上下移動を規制したことを特徴とする請求項１記載の野生動物用罠。
【請求項３】
枠体（２）に踏み板（１１）の下方への移動を規制する規制ピン（６）を着脱可能に設けたことを特徴とする請求項１又は２記載の野生動物用罠。
【考案の詳細な説明】
【技術分野】
【０００１】
本考案は、猪、鹿、熊等の野生動物を捕獲する野生動物用罠に関するものである。
【背景技術】
【０００２】
従来の技術として特許文献１があった。即ち、ワイヤの先端部に拡縮可能なループ部（わさ部）を形成し、ワイヤの中間部に外套管、コイルばね、主パイプを順次ループ部に向けてそれぞれ摺動可能に嵌合させ、コイルばねは主パイプに嵌合させるとともに、その先端を前記外套管に、その後端を主パイプの後端に当接可能とし、前記主パイプをワイヤの所定箇所に固定して前記外套管を主パイプ方向に移動させることにより、前記コイルばねを圧縮した後、主パイプに回動可能に取り付けた踏み板（けきりレバー）のフック部を前記外套管に係合させ、これにより、前記ループ部の径を所定値にした状態で前記コイルばねを予圧縮するようにしたものがあった。
【０００３】
前記特許文献１のものは、ループ部と踏み板とが個別に分離していたため、両者の上下の対面位置が狂ったり、ループ部のリング形状が不安定になったりして捕獲性能が低下するものであった。また、主パイプを地面に垂直に埋め込まねばならず、罠を設置する際に地面を深く掘る必要があり、罠の設置作業に手数を要したり、場所によっては罠の設置ができなくなったりするものであった。
【特許文献１】特開２００５−２２４１１１号公報
【考案の開示】
【考案が解決しようとする課題】
【０００４】
本考案は、ループ部を踏み板に接近させるとともに、ループ部のリング形状を規定形状に保形することにより、捕獲性能を高くするとともに地面への設置が容易に行なえる新規な野生動物用罠を得ることを目的とする。
【課題を解決するための手段】
【０００５】
本考案は、前記目的を達成するために以下の如く構成したものである。即ち、請求項１に係る考案は、踏み板の上面に一対の半円弧状の作動体を互いに対向させて載置するとともに、各作動体の対面側端部を支点ピンを介して前記踏み板に回動可能に連結してなる作動装置を設け、前記作動装置を枠体内に上下動可能に嵌合させるとともに、該作動装置の各作動体の回動端部を前記枠体の内面に設けた受け桟に載置して前記踏み板を枠体内で下動可能に懸垂支持し、ワイヤの一端部に拡縮可能なループ部を有するとともに、ワイヤの中間部に前記ループ部の径を縮小付勢するばね装置を有する捕獲ワイヤを設け、該捕獲ワイヤのループ部を前記各作動体の外周に懸回してリング状に保形する構成にしたものである。
請求項２に係る考案は、前記各作動体は、細長い板材を半円弧状に湾曲させた胴部の下縁部に半径方向外方に突出する下部係止片を設け、前記胴部の回動端部の上縁部に外方かつ上方に向かって傾斜する上部係止片を設け、前記下部係止片と上部係止片とで前記胴部に懸回した捕獲ワイヤのループ部の上下移動を規制する構成にしたものである。
請求項３に係る考案は、前記枠体に踏み板の下方への移動を規制する規制ピンを着脱可能に設けたものである。
【考案の効果】
【０００６】
本願の請求項１に係る考案は、作動装置の各作動体を、支点ピンを中心として互いに反対向きに回動させ、その回動端部を前記作動装置の踏み板に当接させると、各作動体が踏み板上で平面視円形あるいは楕円状に拡開することになる。次いで、捕獲ワイヤのループ部を広げて前記各作動体の外周に懸回すると、該ループ部がばね装置により縮小付勢させれて各作動体の外周に圧接し、各作動体を締め付けることになる。この場合、前記ループ部による各作動体の締め付け力、特に各作動体の回動端部の締め付け力は支点ピンに対しこれと直交する水平方向に作用するので、各作動体は回動することがない。このため、前記ループ部は各作動体によって円形あるいは楕円形に保持されることになる。
【０００７】
次いで、前記作動装置をループ部と共に枠体内に嵌合させ、各作動体の回動端部を枠体の内面に設けた受け桟に載置すると、踏み板が前記枠体内で下動可能に懸垂支持されることになる。なお、前記枠体は、野生動物の通り道に設置れ。また、該枠体に前記作動装置を嵌合させた後は、木の葉等で覆って隠し、ワイヤの後端は樹木、杭等の強度部材に連結される。
【０００８】
この状態で猪、鹿等の野生動物が到来し、前記踏み板を踏むと、該踏み板が下方に移動し、これに伴って支点ピンが各作動体の回動端部に対して下方に移動する。さすれば、前記ループ部による各作動体の回動端部に作用する締め付け力が支点ピンに対し上方に偏倚し、各作動体が支点ピンを中心として接近方向に回動され、これが所定角度回動すると前記ループ部が各作動体から離脱して前記野生動物の脚を締め付け、該野生動物を捕獲することになる。
【０００９】
請求項２に係る考案は、捕獲ワイヤのループ部を広げ、これを拡開させた各作動体の胴部に懸回すると、該胴部に形成した上部係止片と下部係止片とが前記ループ部の上下面に対面し、各作動体が拡開した初期時に前記ループ部が前記胴部から不用意に離脱しなくなる。このため、罠の設置作業が容易かつ安全に行なえることになる。また、上部係止片を胴部の回動端部の上縁部に外方かつ上方に向けて傾斜させたので、各作動体が支点ピンを中心として接近方向に所定角度回動した際に、前記ループ部が各作動体から円滑に離脱することになる。
請求項３に係る考案は、枠板に規制ピンを取り付けると、踏み板が枠体内で下方に移動しなくなる。このため、罠の設置作業時に誤って踏み板を下方に押すようなことがあっても、作動装置が不用意に作動しなくなり、罠の設置作業が安全に行なえることになる。
【考案を実施するための最良の形態】
【００１０】
以下本考案の実施の形態を図面に基いて説明する。図面において、図１は本考案の実施例を示す平面図、図２は図１のII-II断面図、図３は規制ピンを外した状態の図２相当の断面図、図４は罠の作動状態を示す断面図、図５は作動装置の平面図、図６は図５のVI-VI断面図である。
【００１１】
図１、図２において、１は野生動物用罠であり、枠体２、作動装置１０、及び捕獲ワイヤ２０を主要部として構成されている。
【００１２】
枠体２は細長い２本の横桟３、及び２本の縦桟４により、左右の内幅Ｗ１が約２８０ｍｍ、前後の内幅Ｗ２が約１７５ｍｍ、上下の高さＨ１が約４０ｍｍとなる平面視長方形状に形成され、左右の縦桟４の内面下部に受け桟５を固着してなる。受け桟５の上面５ａの高さＨ２は約２０ｍｍとする。
【００１３】
作動装置１０は、前記枠体２に上下動可能に嵌合させるもので、図５及び図６に示すようになっている。図５及び図６において、１１は踏み板であり、金属板により左右幅Ｓ１が約２３０ｍｍ、前後幅Ｓ２が約１６５ｍｍとなる長方形状に形成し、該踏み板１１の前後端部の左右中心部に一対のブラケット１２を溶接固定する。該ブラケット１２は、踏み板１１の前後端に対してら若干内方に位置させ、その左右幅は約９０ｍｍ、高さは約２５ｍｍとし、その左右両側の上下中心部にボルトからなる支点ピンＰ１，Ｐ２を取り付ける。該支点ピンＰ１，Ｐ２の左右の間隔は約５０ｍｍとする。
【００１４】
前記踏み板１１の上面に細長い金属板を半円弧状に湾曲させた一対の作動体１５を互いに対向させて配置し、各作動体１５の対面側端部を前記ブラケット１２の外側に重ね合わせて支点ピンＰ１，Ｐ２により各ブラケット１２の左右端部に回動可能に連結する。各作動体１５の円弧径は約１６０ｍｍとし、各ブラケット１２の回動端部１５ａは前記踏み板１１から外側方に露出させる。また、各作動体１５は、その回動側が踏み板１１に当接した際に、支点ピンＰ１，Ｐ２から外側方に向かって若干下り傾斜する如く設定する。なお、前記枠体２、作動装置１０の各部の寸法は捕獲する対象物によって適宜設定する。
【００１５】
前記各作動体１５の、半円弧状に湾曲する胴部１５ｂの下縁部に半径方向外方に突出するフランジ状の下部係止片１５ｃを形成し、前記胴部１５ｂの回動端部１５ａの上縁部に外方かつ上方に向かって傾斜する上部係止片１５ｄを形成する。前記下部係止片１５ｃ及び上部係止片１５ｄは、各作動体１５の拡開時に後述する捕獲ワイヤ２０のループ部２２が前記胴部１５ｂに懸回された際に、該ループ部２２が前記胴部１５ｂ部で上下動するのを規制し、また、各作動体が支点ピンＰ１，Ｐ２を中心として上方（接近方向）に所定角度回動した際に、前記ループ部２２が上部係止片１５ｄを乗り越えて胴部１５ｂ（各作動体１５）から円滑に離脱するようにするためのものである。
【００１６】
前記踏み板１１の左右端部に、各作動体１５の回動側を支持する調節ねじ１６を取付け、該調節ねじ１６を操作することによって各作動体１５の踏み板１１に対する拡開時の角度（水平状態）を調節する。また、図１、図２に示すように、前記枠体２の左右の縦桟４の下部にコ字形に屈曲した規制ピン６を外側から抜き差し可能に挿通する。該規制ピン６は、前述した作動装置１０を枠体２に嵌合させ、その作動体１５の回動端部１５ａを受け桟５に載置した際に、作動装置１０の踏み板１１を前記規制ピン６で受け止め、これにより、罠１の設置作業時に誤って踏み板１１を下方に押すようなことがあっても、作動装置１０が不用意に作動することのないようにするためのものである。なお、前記規制ピンは、罠１を設置した後は前記縦桟４から抜き取り、前記踏み板１１が枠体２内で下方に移動できるようにする。
【００１７】
前記捕獲ワイヤ２０は、ワイヤ２１の先端部に拡縮可能なループ部２２を形成し、ワイヤ２１の中間部に前記ループ部２２を縮小付勢するばね装置２５を取り付けてなる。前記ばね装置２５は、口管２６、コイルばね２７、接続管２８及びばね圧縮管２９を順次ループ部２２に向けてそれぞれ摺動可能に嵌合させ、前記コイルばね２７の前部は前記口管２６に嵌合させてその前端を口管２６の前壁に当接可能とし、該コイルばね２７の後部は前記ばね圧縮管２９に嵌合させてその後端をばね圧縮管２９の後壁に当接可能とする。また、前記ばね圧縮管２９の後端部にワイヤ２１を挟持・解除するワイヤ固定具２７を取り付けてなる。２４はループ部２２の最小径を設定する止め駒である。
【００１８】
そして、前記作動装置１０の各作動体１５を、支点ピンＰ１，Ｐ２を中心として互いに反対向きに回動させてその各回動側の下面を調節ねじ１６に当接させ、捕獲ワイヤ２０のループ部２２を広げて前記各作動体１５の外周、つまり胴部１５ｂに懸回する。次いで、ばね装置２５をセットする。即ち、ばね圧縮管２９を口管２６方向に移動させてコイルばね２７を圧縮した後、ワイヤ固定具２７を締付け操作して前記ばね圧縮管２９をワイヤ２１に固定し、接続管２８で前記ばね圧縮管２９を口管２６に接続して両者を直線状にする。この場合、図１に示すように、ばね装置２５の口管２６は一方のブラケット１２に位置させ、この部から水平方向外方に延出させる。７は横桟３の左右中心部に形成した逃げ凹部であり、前記口管２６との干渉を防止するためのものである。
【００１９】
これにより、前記ループ部２２はコイルばね２７によって縮小付勢され、該ループ部２２が拡開した各作動体１５を締付けた状態となる。なお、前記作動装置１０の感度は調節ねじ１６を以下の如く操作して行なう。即ち、体重の小さい小動物を捕獲する際には、前記調節ねじ１６を踏み板１１から上方に大きく突出させ、左右の作動体１１の初期拡開角度を１８０度に近づけて作動体１５の胴部１５ｂの回動端部１５ａを各支点ピンＰ１，Ｐ２の延長線部に位置させ、踏み板１１が僅かに下方に移動した際に、ばね装置２５が作動して前記作動体１５が上方に回動し、ループ部２２が縮小する如く、感度を高くする。また、体重の大きい動物を捕獲する際には、前記調節ねじ１６を踏み板１１から小さく大きく突出させ、左右の作動体１１の初期拡開角度を１８０度よりも大きくし、前記踏み板１１が前述よりも大きく下方に移動した際に前記ばね装置２５が作動する如く、感度を小さくする。
【００２０】
次ぎに、図４に示すように、野生動物の通り道となる地面３５に浅い窪みを形成し、該窪みに枠体２を水平配置して収容し、該枠体２に規制ピン６を差し込む。次いで、前記作動装置１０をループ部２２と共に前記枠体２内に嵌合させ、各作動体１５の回動端部１５ａを枠体２の内面に設けた受け桟５上に載置した後、前記規制ピン６を枠体２から抜き取り、作動装置１０の踏み板１１を枠体２内で下方に移動可能にする。次いで、ワイヤ２１の後端を樹木、杭等の強度部材に連結した後、前記枠体２、作動装置１０捕獲ワイヤ２０の上面に木の葉、草等の被物３６を被せ、罠１が外部から見えないようにする。
【００２１】
この状態で、猪、鹿等の野生動物が罠１部に到来し、その踏み板１１を踏むと、図４の仮想線で示すように、該踏み板１１が枠体２内で下方に移動し、これに伴って支点ピンＰ１，Ｐ２が各作動体１５の回動端部１５ａに対して下方に移動する。各作動体１５に懸回したワイヤ２１のループ部２２は、コイルばね２４によって縮小付勢されているため、前記ループ部２２による各作動体１５の回動端部１５ａに作用する締め付け力が支点ピンＰ１，Ｐ２の上方に偏倚すると、各作動体１５が支点ピンＰ１，Ｐ２を中心として接近方向（上方）に回動され、この角度が所定値に達すると、前記ループ部２２が上部係止片１５ｄを乗り越えて各作動体１５から離脱し、前記野生動物の脚３７を締め付けて該野生動物を捕獲することになる。
【図面の簡単な説明】
【００２２】
【図１】本考案の実施例を示す平面図である。
【図２】図１のII-II断面図である。
【図３】規制ピンを外した状態の図２相当の断面図である。
【図４】罠の作動状態を示す断面図である。
【図５】作動装置の平面図である。
【図６】図５のVI-VI断面図である。
【符号の説明】
【００２３】
１    野生動物用罠
２    枠体
３    横桟
４    縦桟
５    受け桟
６    規制ピン
７    逃げ凹部
１０    作動装置
１１    踏み板
１２    ブラケット
１５    作動体
１５ａ  回動端部
１５ｂ  胴部
１５ｃ  下部係止片
１５ｄ  上部係止片
１６    調節ねじ
２０    捕獲ワイヤ
２１    ワイヤ
２２    ループ部
２４    止め駒
２５    ばね装置
２６    口管
２７    コイルばね
２８    接続管
２９    ばね圧縮管
３０    ワイヤ固定具
３５    地面
３６    被物
３７    動物の脚
Ｐ１，Ｐ２  支点ピン
【図１】
0003127832.tif 000003
【図２】
0003127832.tif 000004
【図３】
0003127832.tif 000005
【図４】
0003127832.tif 000006
【図５】
0003127832.tif 000007
【図６】
0003127832.tif 000008